(57)【特許請求の範囲】
【請求項１】
ラインタンク内に鋼板を通板させるためのラインタンク用リスレッダー装置であって、親綱牽引ロープに設けられた親綱固定用フックを突出させるためのスリットが設けられたスリットパイプが、前記スリットがラインタンクの内方向に向くようにして前記ラインタンクの内壁に配設され、前記スリットパイプのスリットに親綱固定用フックを突出させて前記親綱牽引ロープが前記スリットパイプ内に導入され、親綱が前記親綱固定用フックに接続されてなるラインタンク用リスレッダー装置。
【発明の詳細な説明】
【０００１】
【発明の属する技術分野】
本発明は、ラインタンク用リスレッダー装置に関する。さらに詳しくは、冷間圧延鋼板などの鋼板の連続製造ラインにおいて、鋼板の破断時やラインの立ち上げ時にラインの縦型タンクなどのラインタンク内に鋼板を通板させるためのラインタンク用リスレッダー装置に関する。
【０００２】
【従来の技術】
従来、冷間圧延鋼板などの鋼板の連続製造ラインにおいて、鋼板の破断時やラインの立ち上げ時には、ラインタンクに設けられたシンクロールの下部に鋼板を通板させる装置として、たとえばラインタンクが昇降するように設けられ、シンクロールの下部に鋼板を通板させるときに、ラインタンクを下降させることにより、シンクロールをラインタンクから取り出したのち、鋼板をシンクロールの下部に通板させるようにした装置（特開平７−１１８８２０号公報）、シンクロールが昇降するように設けられ、シンクロールの下部に鋼板を通板させるときに、シンクロールを上昇させることにより、シンクロールをラインタンクから取り出したのち、鋼板をシンクロールの下部に通板させるようにした装置（特開平７−１１８８２１号公報）などが考えられている。
【０００３】
しかしながら、前記装置は、いずれもシンクロールまたはラインタンクを昇降させるための大がかりな駆動装置が必要であるという欠点があり、またそれらを昇降させてシンクロールの下部に鋼板を通板させるのに、長時間を要するという欠点がある。
【０００４】
また、シンクロールやラインタンクを昇降させずにシンクロールの下部に鋼板を通板させる方法として、ラインタンク内の液抜きを行ない、該ラインタンクのボトムの窓を開け、人手により鋼板を牽引するための親綱をシンクロールに跨がせてラインタンク内に通し、鋼板と親綱とを連結し、鋼板をシンクロールに跨がせたのち、ボトムの窓を閉め、ラインタンク内に液入れを行なう方法が知られている。
【０００５】
しかしながら、前記方法には、煩雑なラインタンク内の液抜きおよび液入れの作業を必要とし、しかもかかる作業には、約１０時間という長時間を要するため、生産効率の低下を招くという欠点がある。
【０００６】
したがって、近年、シンクロールおよびラインタンクを昇降させたり、ラインタンク内の液抜きと液入れをさせずに、鋼板をシンクロールの下部に容易に通板させることができるリスレッダー装置の開発が待ち望まれている。
【０００７】
【発明が解決しようとする課題】
本発明は、前記従来技術に鑑みてなされたものであり、シンクロールやラインタンクを昇降させたり、ラインタンク内の液抜きと液入れをすることなく、鋼板を速やかにかつ容易にシンクロールの下部に通板させることができるラインタンク用リスレッダー装置を提供することを目的とする。
【０００８】
【課題を解決するための手段】
本発明は、ラインタンク内に鋼板を通板させるためのラインタンク用リスレッダー装置であって、親綱牽引ロープに設けられた親綱固定用フックを突出させるためのスリットが設けられたスリットパイプが、前記スリットがラインタンクの内方向に向くようにして前記ラインタンクの内壁に配設され、前記スリットパイプのスリットに親綱固定用フックを突出させて前記親綱牽引ロープが前記スリットパイプ内に導入され、親綱が前記親綱固定用フックに接続されてなるラインタンク用リスレッダー装置に関する。
【０００９】
【発明の実施の形態】
本発明のラインタンク用リスレッダー装置は、前記したように、ラインタンク内に鋼板を通板させるためのラインタンク用リスレッダー装置であり、親綱牽引ロープに設けられた親綱固定用フックを突出させるためのスリットが設けられたスリットパイプが、前記スリットがラインタンクの内方向に向くようにして前記ラインタンクの内壁に配設され、前記スリットパイプのスリットに親綱固定用フックを突出させて前記親綱牽引ロープが前記スリットパイプ内に導入され、親綱が前記親綱固定用フックに接続されたものである。
【００１０】
以下に、本発明のラインタンク用リスレッダー装置を図面にもとづいて説明する。
【００１１】
図１は、本発明のラインタンク用リスレッダー装置の概略斜視図である。
【００１２】
図１において、１はラインタンクであり、該ラインタンク１の内壁には、スリットパイプ２が配設されている。
【００１３】
ラインタンク１としては、たとえば冷間圧延鋼板の連続製造ラインなどに用いられている縦型タンクなどがあげられるが、本発明はかかる例示のみに限定されるものではない。
【００１４】
ラインタンク１の内壁に配設されるスリットパイプ２には、親綱牽引ロープ３に設けられた親綱固定用フック４を突出させるためのスリット５が設けられており、前記スリット５がラインタンク１の内方向に向くようにして配設されている。
【００１５】
スリットパイプ２としては、たとえばステンレス鋼、一般鋼などからなる鋼管、塩化ビニル樹脂製パイプなどがあげられるが、本発明かかかる例示のみに限定されるものではない。また、スリットパイプ２の内径および外径についてもとくに限定がなく、親綱牽引ロープ３を摺動抵抗が小さい状態でスリットパイプ２内に挿入させることができればよい。その代表例として、たとえば内径が１０〜３０ｍｍ程度のステンレス鋼製スリットパイプなどがあげられる。
【００１６】
スリットパイプ２のスリット５は、親綱牽引ロープ３に設けられた親綱固定用フック４がラインタンク１の内方向に向くようにするために、ラインタンク１の内方向に向くように設定される。
【００１７】
図１に示されたラインタンク用リスレッダー装置においては、シンクロール６に沿ってその下部に鋼板が通板するようにするために、シンクロール６の下方にスリットパイプ２が配設されている。
【００１８】
つぎに、親綱牽引ロープ３に設けられた親綱固定用フック４がスリットパイプ２のスリット５から突出するようにして、親綱牽引ロープ３がスリットパイプ２に導入される。
【００１９】
前記親綱牽引ロープ３としては、鋼板を牽引するときの負荷に耐えうる引張強度などの機械的強度を有するものであれば、とくに限定なく用いることができる。
【００２０】
前記親綱牽引ロープ３の具体例としては、たとえばステンレス鋼製ワイヤ、ビニロンロープ、ナイロンロープ、ポリエステルロープ、ポリエチレンロープなどがあげられるが、本発明は、かかる例示のみに限定されるものではない。なお、前記ステンレス鋼製ワイヤを用いるばあいには、曲り性を付与し、スリットパイプ２からの飛び出しの防止のために、鋼球を該ステンレス鋼製ワイヤにかしめたものを用いることが好ましい。
【００２１】
親綱牽引ロープ３の太さは、該親綱牽引ロープ３をスリットパイプ２内に導入させることができればよく、任意である。
【００２２】
親綱固定用フック４は、その両端を親綱牽引ロープ３にかしめることにより、親綱牽引ロープ３に固定することができる。
【００２３】
親綱固定用フック４は、スリットパイプ２内に挿入されたとき、ロープ取付孔７がスリットパイプ２から突出する程度の高さを有すればよい。なお、親綱固定用フック４の高さは、シンクロール６と接触しないように調整することが好ましい。
【００２４】
つぎに、本発明のリスレッダー装置に鋼板を通板させるときの概略斜視図である図２に示されるように、親綱牽引ロープ３が通板ロールＡ８、シンクロール６および通板ロールＢ９に順次搬送され、親綱固定用フック４が通板ロールＢ９にまで搬送されたのちには、親綱１０を親綱固定用フック４から外し、該親綱１０を通板ロールＡ８、シンクロール６および通板ロールＢ９の中央部分に移動させる。
【００２５】
前記親綱１０としては、鋼板１１を通板ロールＡ８、シンクロール６および通板ロールＢ９を順次介して通板させるときの引張強度などの機械的強度を有するものであれば、とくに限定なく用いることができる。
【００２６】
前記親綱１０の具体例としては、たとえばポリエチレンロープ、ビニロンロープ、ナイロンロープ、ポリエステルロープなどがあげられるが、本発明はかかる例示のみに限定されるものではない。
【００２７】
親綱１０の太さは、鋼板を牽引する際の機械的強度に耐えるものであれば、とくに限定がない。
【００２８】
親綱１０と鋼板１１との一体化の方法には、とくに限定がなく、たとえば図２に示されるように、チェーン１２を取り付けたプレート１３のスリットに鋼板１１を挿入して折り曲げることにより、鋼板１１とチェーン１２とを一体化させ、そのチェーン１２の中央部分にフック１４を設け、該フック１４に親綱１０を結びつける方法などがあげられる。
【００２９】
かくして本発明のラインタンク用リスレッダー装置によれば、ラインタンク内のシンク部に鋼板を容易に通板させることができる。
【００３０】
本発明のラインタンク用リスレッダー装置を用いたばあいには、シンクロールまたはラインタンクを昇降させるための大がかりな駆動装置を必要とせず、またラインタンク内の液抜きおよび液入れという煩雑で長時間を要する作業をしなくてもよいため、簡易な装置で鋼板の破断時やラインの立ち上げ時にラインのラインタンク内に速やかに、たとえば４時間程度の短時間で鋼板を通板させることができる。
【００３１】
【発明の効果】
本発明のラインタンク用リスレッダー装置によれば、前記したように、従来のようなシンクロールやラインタンクを昇降させる必要がなく、またラインタンク内の液抜きおよび液入れという煩雑で長時間を要する作業をしなくてもよい。
【００３２】
したがって、本発明のラインタンク用リスレッダー装置を用いれば、冷間圧延鋼板などの鋼板の連続製造ラインにおいて、鋼板の破断時やラインの立ち上げ時に、ラインタンク内に簡便にしかも速やかに鋼板を通板させることができるという効果が奏される。
【図面の簡単な説明】
【図１】本発明のラインタンク用リスレッダー装置の概略斜視図である。
【図２】本発明のラインタンク用リスレッダー装置に鋼板を通板させるときの概略斜視図である。
【符号の説明】
１  ラインタンク
２  スリットパイプ
３  親綱牽引ロープ
４  親綱固定用フック
５  スリット
１０  親綱
１１  鋼板
【図１】
0003609900.tif 000002
【図２】
0003609900.tif 000003